(57)【特許請求の範囲】
【請求項１】
ケースが、ケース前面を構成する上ケースと、ケース背面を構成する下ケースとから成り、下ケースはスイッチボックスに収納するよう形成された膨出部を有する一方、上ケースにはパネルが覆設されるインターホン機器であって、
前記膨出部は３コ用スイッチボックスに収納する大きさを有する一方、前記下ケースを覆って前記膨出部を収容し、１コ用或いは２コ用スイッチボックスに対して連結するための連結部を備えた取付台を使用することで、前記膨出部をスイッチボックスに収容せずに前記ケースをスイッチボックスに取付可能とし、
更に、前記膨出部内に前記取付台を係止する係止部を設け、
前記取付台を使用せず前記膨出部を壁面に埋設させて設置する形態と、前記取付台を使用して前記膨出部を壁面に埋設せずに設置する形態との２通りの設置が可能なことを特徴とするインターホン機器。
【請求項２】
前記パネルは前記上ケースの少なくとも前面周囲を覆う枠体であり、
前記膨出部を埋設させて設置する形態で使用するパネルと、前記取付台を装着して壁面上に露出させて設置する形態で使用するパネルとは外寸及び形状が異なり、膨出部を埋設させる形態のパネルは取付台を使用する形態のパネルに比べて、上下方向及び左右方向が共に５ｍｍ以上大きく形成され、更に前記上ケースの前面に加えて周辺部の壁面も覆う側枠を備えていることを特徴とする請求項１記載のインターホン機器。
【請求項３】
前記取付台は、少なくとも前記膨出部の最も突出する部位を露出させる露出穴を有し、前記取付台に組み付けて壁面に設置した前記ケースの露出した前記膨出部は、壁面に当接或いは近接する位置に配置されて成ることを特徴とする請求項１又は２記載のインターホン機器。
【発明の詳細な説明】
【技術分野】
【０００１】
本発明はインターホン機器に関し、詳しくは壁面に露出した状態で設置する形態や背部を壁面に埋設して設置する形態等、複数種類の形態で設置できるインターホン機器に関する。
【背景技術】
【０００２】
インターホン機器は、壁面に埋設されたスイッチボックスを利用して取り付ける埋設型のものが普及している。例えば引用文献１では、インターホン機器ケースの背部にスイッチボックスに収容する膨出部を設け、この膨出部に端子台や電源接続部を設けて壁面内に配設された接続コードや電源コードを接続してスイッチボックスに収容し、インターホン機器を壁面に取り付けている。
一方で、このような膨出部を有するインターホン機器を、壁面に埋設せずに壁面に設置する露出型の場合は、ケースの背部全体を収納する取付台を使用して壁面上に設置していた（例えば、特許文献２参照）。
【先行技術文献】
【特許文献】
【０００３】
【特許文献１】特開２００６−１５７１７５号公報
【特許文献２】特開２００８−６０８２１号公報
【発明の概要】
【発明が解決しようとする課題】
【０００４】
しかしながら、上記特許文献２のケースを露出設置する構成は、ハンドセットを設ける等の特定の目的のために露出ボックスを使用するもので、従来、埋設設置する機器と露出設置する機器のケースは異なり、１つのケースを双方の形態に使用することはなかった。そのため、多くの機種を必要とし、製品や部品の管理が面倒であったし製造コストも増加した。
【０００５】
そこで、本発明はこのような問題点に鑑み、１種類のケースで埋設設置と露出設置の双方に対応でき、更に複数のサイズのスイッチボックスに対して取り付けが可能なインターホン機器を提供することを目的としている。
【課題を解決するための手段】
【０００６】
上記課題を解決する為に、請求項１の発明は、ケースが、ケース前面を構成する上ケースと、ケース背面を構成する下ケースとから成り、下ケースはスイッチボックスに収納するよう形成された膨出部を有する一方、上ケースにはパネルが覆設されるインターホン機器であって、膨出部は３コ用スイッチボックスに収納する大きさを有する一方、下ケースを覆って膨出部を収容し、１コ用或いは２コ用スイッチボックスに対して連結するための連結部を備えた取付台を使用することで、膨出部をスイッチボックスに収容せずにケースをスイッチボックスに取付可能とし、更に、膨出部内に取付台を係止する係止部を設け、取付台を使用せず膨出部を壁面に埋設させて設置する形態と、取付台を使用して膨出部を壁面に埋設せずに設置する形態との２通りの設置が可能なことを特徴とする。
この構成によれば、スイッチボックスに膨出部を収納して取り付ける形態であっても、取付台を装着することで露出型のインターホン機器として壁面に取り付けできる。しかも、取付台を装着してケースを露出設置する形態であっても、１コ用或いは２コ用のスイッチボックスに取り付けできるため、埋設されたスイッチボックスを使用する既存のインターホン機器を交換する際には、機種を選ばず対応できる。
【０００７】
また、下ケースの膨出部が取付台に係止するため、取付台と下ケースとの周辺部同士の間で係止部を設ける必要が無くなり、取付台を下ケースより大きくする必要がないし、周辺部をすっきりしたデザインにできる。
【０００８】
請求項２の発明は、請求項１に記載の構成において、パネルは上ケースの少なくとも前面周囲を覆う枠体であり、膨出部を埋設させて設置する形態で使用するパネルと、取付台を装着して壁面上に露出させて設置する形態で使用するパネルとは外寸及び形状が異なり、膨出部を埋設させる形態のパネルは取付台を使用する形態のパネルに比べて、上下方向及び左右方向が共に５ｍｍ以上大きく形成され、更に上ケースの前面に加えて周辺部の壁面も覆う側枠を備えていることを特徴とする。
この構成によれば、埋設設置の場合にパネルが周辺部の壁面も合わせて覆うため、壁面に形成した開口部を無理なく隠すことができるし、インターホン機器をリニューアルした場合は壁面の変色を隠すこともできる。一方、取付台を使用して壁面上に設置する場合は、パネルサイズを小さく例えば上パネルと同一サイズにでき、露出させる形態であっても最小のサイズで設置できる。
【０００９】
請求項３の発明は、請求項１又は２に記載の構成において、取付台は、少なくとも膨出部の最も突出する部位を露出させる露出穴を有し、取付台に組み付けて壁面に設置したケースの露出した膨出部は、壁面に当接或いは近接する位置に配置されて成ることを特徴とする。
この構成によれば、膨出部の最も突出する部位を露出穴から露出させることで、取付台の奥行きを下ケースの奥行きと略同一にできる。そのため、取付台を用いてケース全体を露出させて設置しても、ケース自体の奥行きに取付台の厚みが加わることがなく、最小限の突出量で済む。
【発明の効果】
【００１０】
本発明によれば、スイッチボックスに膨出部を収納して取り付ける形態であっても、取付台を装着することで露出型のインターホン機器として壁面に取り付けできる。しかも、取付台を装着してケースを露出設置する形態であっても、１コ用或いは２コ用のスイッチボックスにネジ止めできるため、埋設されたスイッチボックスを使用する既存のインターホン機器を交換する際には、機種を選ばず対応できる。
【図面の簡単な説明】
【００１１】
【図１】本発明に係るインターホン機器の一例を示し、インターホン機器のケースを分解した斜視図である。
【図２】下ケースを示し、（ａ）は背面図、（ｂ）は側面図である。
【図３】図２の下ケースの斜視図である。
【図４】パネルの正面図を示し、（ａ）はインターホン機器を埋設設置する際に使用するパネル、（ｂ）露出設置する場合に使用するパネルである。
【図５】インターホン機器を壁面に埋設設置した状態を示し、（ａ）は正面図、（ｂ）はＡ−Ａ線断面図である。
【図６】インターホン機器を壁面に露出設置した状態を示し、（ａ）は正面図、（ｂ）はＣ−Ｃ線断面図である。
【図７】Ｂ−Ｂ線断面図である。
【図８】Ｄ−Ｄ線断面図である。
【発明を実施するための形態】
【００１２】
以下、本発明を具体化した実施の形態を、図面を参照して詳細に説明する。図１は本発明に係るインターホン機器の一例を示すインターホン機器ケースの分解斜視図である。図１において、１ａはケース１の前面を構成する上ケース、１ｂはケース１の背面を構成する下ケース、３は下ケース１ｂを収納する取付台、４は上ケース１ａに覆設するパネルである。上ケース１ａと下ケース１ｂとを嵌合させて形成したケース１内に、インターホンを構成する図示しないマイク、スピーカ、カメラ、回路基板等が収納される。
【００１３】
上ケース１ａは、呼出ボタン部１１、スピーカ部１２、マイク部１３、カメラ部１４等が開口形成されている。また、周囲４箇所に壁面や取付台３にネジ止めするためのネジ挿通孔１５、周囲６箇所にパネル４を係止する係止溝１６が形成されている。
【００１４】
図２，図３は下ケース１ｂを示し、図２（ａ）は背面図、図２（ｂ）は左側から見た側面図、図３は斜視図を示している。図２，図３に示すように、下ケース１ｂはケース１の内部空間を広くするために後方に突出形成した矩形の膨出部２１を有している。膨出部２１は、インターホン機器を壁面に設置する際に、壁面に埋設されたスイッチボックスに収納される部位であり、この形態では３コ用スイッチボックスに収納する大きさで形成されている。
そして、略中央に内部基板に装着された端子台２２（図５に示す）を露出させる端子台孔２３が穿設され、上辺には取付台３を嵌合させるための嵌合片２４が左右に亘りＬ字状に形成されている。また、周囲にケース１を壁面に取り付ける際にネジを挿通するネジ挿通孔２５が上ケース１ａのネジ挿通孔１５に合わせて設けられている。
【００１５】
取付台３は、ケース１の膨出部２１を壁面に埋設せずに、ケース１全体を壁面上に配置して設置する露出型とする場合に使用されるもので、下ケース１ｂに取り付けて使用される。上ケース１ａのサイズに略一致する寸法で形成され、上ケース１ａの周囲から露出する部位が無いよう形成されている。
また、下ケース１ｂの膨出部２１の最も突出する部位である最深部２１ａを露出する露出穴３１を有している。こうして膨出部２１の最も突出する最深部２１ａを露出穴３１から露出させることで、取付台３の奥行きを下ケース１ｂの奥行きと略同一にできる。
更に、取付台３は膨出部２１に形成された嵌合片２４に嵌合する係止爪３２、スイッチボックスに配設された接続線を端子台２２に接続するために挿通する開口部３３、スイッチボックスにネジ止めするためのネジ挿通孔３４等が設けられている。
【００１６】
パネル４は、上ケース１ａのネジ挿通孔１５を隠したり、壁面の変色を隠すために使用されるもので、２種類の大きさのものが取付形態に応じて使い分けられる。図４はパネル４単体を示す正面図であり、図４（ａ）はインターホン機器を埋設設置する際に使用するパネル（以下、第１パネル４ａとする）、図４（ｂ）は取付台３を使用して露出設置する場合に使用するパネル（以下、第２パネル４ｂとする）である。
双方ともケース１の前面周囲を覆う四角形の枠体であり、中央には上ケース１ａの主要部を露出させるための同一形状の開口部４１が形成されている。また、背面には上ケース１ａの係止溝１６に係止する爪片（図７，図８に示す）４２が形成されている。
【００１７】
そして、埋設設置で使用される第１パネル４ａは、露出設置で使用する第２パネル４ｂより大きく、即ち枠部が広く形成されている。具体的に、第１パネル４ａの横幅Ｗ１＝１２１ｍｍ、縦幅Ｈ１＝１９５ｍｍ、第２パネルの横幅Ｗ２＝１０７ｍｍ、縦幅Ｈ２＝１５７ｍｍであり、第１パネル４ａは第２パネル４ｂに対して幅が１４ｍｍ広く、縦幅が３８ｍｍ高く形成されている。
【００１８】
図５，図６はインターホン機器を壁面に設置した状態を示し、図５は埋設設置した状態で（ａ）は正面図、（ｂ）はＡ−Ａ線断面図を示している。また、図６は露出設置した状態で（ａ）は正面図、（ｂ）はＣ−Ｃ線断面図を示している。Ｗは壁面、５０（５０ａ，５０ｂ）はスイッチボックスを示している。尚、５０ａは３コ用スイッチボックス、５０ｂは２コ用スイッチボックスを示している。
この図５（ｂ）に示すように、第１パネル４ａは設置対象の壁面Ｗに当接するよう形成された側枠４２を有し、第１パネル４ａの装着により上ケース１ａの周辺部は完全に第１パネル４ａに覆われる。  
一方、第２パネル４ｂは、図６（ｂ）に示すように、上ケース１ａの周囲に形成された段部１８に当接する端部を有し、第２パネル４ｂの装着によりケース１の側部はすっきりした形状となる。
【００１９】
上述した構成のインターホン機器の壁面への取り付け手順を次に説明する。最初に埋設設置する形態を説明する。３コ用スイッチボックス５０ａが壁面Ｗに埋設されている場合は、図５に示すように埋設設置する形態が適用される。
この場合、まず上ケース１ａと下ケース１ｂを嵌合した状態で、スイッチボックス５０ａ内に配設されている配線（図示せず）を端子台２２に接続する。その後、スイッチボックス５０ａが埋設されている壁面Ｗの開口部に膨出部２１を収納するようにケース１を配置し、上ケース１ａのネジ挿通孔１５を使用してケース１をスイッチボックス５０ａにネジ止めする。
【００２０】
こうしてケース１が固定できたら、上ケース１ａに第１パネル４ａを装着する。図７は図５（ａ）に示すＢ−Ｂ線断面図を示し、この図７に示すように第１パネル４ａの裏面に形成された爪片４２が上ケース１ａの係止溝１６に係止して第１パネル４ａは固定される。
【００２１】
この結果、上ケース１ａに露出しているネジ挿通孔１５が隠れると共に、第１パネル４ａが上ケース１ａの外周部を覆う。更に上パネル１ａと壁面Ｗの隙間を覆う側枠４２を備えているため、上ケース１と壁面の間に隙間が発生するようなことがないし、リニューアル時においては壁面Ｗの変色部分を覆い隠すことができる。また、第１パネル１ａは中央の開口部４１が上ケース１ａの主要部を露出させるため、壁面からの突出量が増すこともなく、薄型化を実現することができる。
【００２２】
次に露出設置する形態を説明する。壁面に２コ用スイッチボックス５０ｂが埋設されている場合、或いは１コ用スイッチボックスが埋設されている場合、図６に示すように露出設置する形態が適用される。
まず、スイッチボックス５０ｂに取付台３を固定する。取付台３のネジ挿通孔３４を介してスイッチボックス５０ｂにネジ止めすることで取付台３は固定される。次に、上ケース１ａと下ケース１ｂを嵌合してスイッチボックス５０ｂ内に配設されている図示しない配線を端子台２２に接続した後、取付台３にケース１を組み付ける。取付台３の上部に設けられた係止爪３２に下ケース１ｂの嵌合片２４を嵌合させることで位置決めできるし、上部が固定される。この状態で上ケース１ａのネジ挿通孔１５を使用し取付台３にネジ止めする。
こうして、ケース１は組み付けられ、組み付けた状態で取付台３の露出穴３１から膨出部２１の最深部２１ａが露出し、壁面Ｗ（実際には壁面Ｗの開口部）に当接或いは近接した位置に配置される。
【００２３】
尚、図６では２コ用スイッチボックス５０ｂに取付台３を装着する構成を説明しているが、１コ用スイッチボックスであっても同様にネジ止めして取付台３を装着でき、ケース１を取り付けできるため、説明を省略する。
【００２４】
ケース１が固定できたら、上ケース１ａに第２パネル４ｂを装着する。図８は図６（ａ）に示すＤ−Ｄ線断面図を示し、この図８に示すように第１パネル４ａの裏面に形成された爪片４２が上ケース１ａの係止溝１６に係止して第２パネル４ｂは固定される。
この結果、上ケース１ａに露出しているネジ挿通孔１５が隠れると共に、第２パネル４ａが上ケース１ａの外周部を覆い、第２パネル４ｂの端部が上ケース１ａの周囲に形成された段部１８に当接してケース周囲がすっきりした形状になる。
また、第２パネル１ｂは中央の開口部４１が上ケース１ａの主要部を露出させるため、壁面からの突出量が増すこともなく、薄型化を実現することができる。
【００２５】
このように、３コ用スイッチボックス５０ａに膨出部２１を収納して取り付ける形態であっても、取付台３を装着することで露出型のインターホン機器として壁面Ｗに取り付けできる。しかも、２コ用スイッチボックス５０ｂであっても、１コ用スイッチボックスであっても取り付けでき、１コ用、２コ用、３コ用の何れのスイッチボックス５０を使用した既存のインターホン機器を交換する場合であっても、本発明のインターホン機器で対応できる。
また、下ケース１ｂの膨出部２１が取付台３に係止するため、取付台３と下ケース１ｂとの周辺部同士の間で係止部を設ける必要が無くなり、取付台３を下ケース１ｂより大きくする必要がないし、周辺部をすっきりしたデザインにできる。
更に、埋設設置する場合のパネル４は、周囲に形成した側枠４２が周辺部の壁面Ｗも合わせて覆うため、壁面Ｗに形成した開口部を無理なく隠すことができるし、インターホン機器をリニューアルした場合は壁面Ｗの変色を隠すこともできる。一方、取付台３を使用して壁面Ｗ上に露出させて設置する場合は、パネル４のサイズを上パネル１ａと同一サイズに小さくでき、露出させる形態であっても最小のサイズの状態で設置できる。
また、膨出部２１の最深部を２１ａを露出穴３１から露出させるため、取付台３を用いてケース１全体を露出させて設置しても、ケース１自体の奥行きに取付台３の厚みが加わることがなく、最小限の突出量で済む。
【００２６】
尚、上記実施形態は、膨出部２１が３コ用スイッチボックスに対応する大きさであるため、２コ用、或いは１コ用スイッチボックス５０に対しては露出型として設置することになるが、膨出部２１が２コ用スイッチボックスに収納できるサイズの場合は、２コ用スイッチボックスに対しては埋設設置できる。そして、１コ用スイッチボックスに対しては露出型で対応すれば良い。
また、第１パネル４ａを第２パネル４ｂに対して横方向を７ｍｍ、縦方向を１９ｍｍ大きく形成しているが、第１パネル４ａはケース１のサイズより左右及び上下を５ｍｍ程度大きく、即ち第２パネル４ｂより５ｍｍ程度大きくするだけでも良く、機器をリニューアルする場合の壁面の変色を隠すことは可能である。
【符号の説明】
【００２７】
１・・ケース、１ａ・・上ケース、１ｂ・・下ケース、３・・取付台、４・・パネル、４ａ・・第１パネル、４ｂ・・第２パネル、２１・・膨出部、２１ａ・・最深部、２４・・嵌合片、３１・・露出穴、３２・・係止爪、３３・・開口部、３４・・ネジ挿通孔（連結部）、５０・・スイッチボックス、５０ａ・・３コ用スイッチボックス、５０ｂ・・２コ用スイッチボックス。
【図１】
0005852487.tif 000002
【図２】
0005852487.tif 000003
【図３】
0005852487.tif 000004
【図４】
0005852487.tif 000005
【図５】
0005852487.tif 000006
【図６】
0005852487.tif 000007
【図７】
0005852487.tif 000008
【図８】
0005852487.tif 000009